(57)【要約】【課題】保護カバーに対する操作が容易で、かつボリウムやスイッチ等の悪戯を確実に防止できる悪戯防止機構付き電子機器を提供する。【解決手段】機器のケース１２には、スライドスイッチ１６に対応する位置に第１のスイッチ調整穴１８ａ、ボリウム１７に対応する位置に第１のボリウム調整穴１９ａを設ける。ケース１２の内側に保護カバー２１を移動可能に設け、つまみ２５で移動でき、固定ネジ２４で固定できるようにする。保護カバー２１には、上記第１のスイッチ調整穴１８ａに対応する第２のスイッチ調整穴１８ｂ、第１のボリウム調整穴１９ａに対応する第２のボリウム調整穴１９ｂを設ける。保護カバー２１を移動し、第１、第２のスイッチ調整穴１８ａ、１８ｂの位置関係、第１、第２のボリウム調整穴１９ａ、１９ｂの位置関係を調整し、スライドスイッチ１６及びボリウム１７に対する外部操作を可能あるいは不可能とする。【選択図】      図１
2005175051.tif 000002
【特許請求の範囲】
【請求項１】
外部操作により調整される調整用素子を備えた電子機器において、
前記電子機器のケースに前記各調整用素子に対応させて形成される第１の素子調整穴と、前記ケースの内側面にスライド可能に設けられる保護カバーと、前記保護カバーに前記ケースの各素子調整穴に対応して形成される第２の素子調整穴と、前記保護カバーを固定する固定手段とを具備し、
前記保護カバーをスライドさせて前記ケースの第１の素子調整穴と前記保護カバーの第２の素子調整穴を一致させた場合に前記調整用素子に対する外部操作を可能とし、前記第１の素子調整穴に対して第２の素子調整穴をずらした場合に前記調整用素子に対する外部操作を不可能とすることを特徴とする悪戯防止機構付き電子機器。
【発明の詳細な説明】
【技術分野】
【０００１】
本発明は、例えば共同住宅の共同受信設備に用いられる悪戯防止機構付き電子機器に関する。
【背景技術】
【０００２】
例えばビル・マンション等におけるテレビ共同受信設備では、テレビ信号増幅装置を設置し、アンテナにより受信したテレビ信号、あるいはＣＡＴＶシステムにおいてケーブルにより送られてくるテレビ信号を増幅して各加入者宅を分配している。
【０００３】
上記テレビ信号増幅装置は、各種の機能調整用のスイッチやボリウム等を備え、外部から調整できるようになっている（例えば、特許文献１参照。）。このため従来では、テレビ信号増幅装置を鍵の掛かる配電盤などの容器に設置し、専門技術を有した技能者しか操作できないようにしている。
【０００４】
しかし、最近、マンション等の共同住宅では、建設物のコストやスペース等の問題により、図３に示すように一般の人が容易に触れることができるガスメータ１、水道メータ２、電気メータ３等の設置場所４にテレビ信号増幅装置５を一緒に設置する場合が増えている。このため一般の人がテレビ信号増幅装置５の機器表面に配置されている各種調整用のスイッチやボリウム等を操作してしまい、テレビが映らなくなるといった事故が起きている。
【０００５】
このような事故を防止するため、従来では図４（ａ）、（ｂ）に示すようにテレビ信号増幅装置５自体に金属やプラスチックといった素材を用いた悪戯防止用の保護カバー６をネジ７により取り付けたり、図５（ａ）、（ｂ）に示すようにテレビ信号増幅装置５を全体的に囲うように保護カバー６をネジ７により基台１０に取り付けて、スイッチ８やボリウム９等を容易に操作できないようにしている。上記図４（ａ）、図５（ａ）はテレビ信号増幅装置５の正面図、図４（ｂ）、図５（ｂ）は下面図である。
【特許文献１】意匠登録第１０９４１３５号公報
【発明の開示】
【発明が解決しようとする課題】
【０００６】
しかし、上記従来の方法では、機器の設置やメンテナンス等で調整作業をする場合に、全てのカバー固定用のネジ７を取って保護カバー６を外さなければならないので、保護カバー６を外すのに手間が掛かる上、機器が高所に設置してある場合には、保護カバー６やカバー固定用のネジ７を落下させる危険があった。
【０００７】
本発明は上記の課題を解決するためになされたもので、保護カバーに対する操作が容易で、かつスイッチやボリウム等の悪戯を確実に防止できる悪戯防止機構付き電子機器を提供することを目的とする。
【課題を解決するための手段】
【０００８】
本発明は、外部操作により調整される調整用素子を備えた電子機器において、前記電子機器のケースに前記各調整用素子に対応させて形成される第１の素子調整穴と、前記ケースの内側面にスライド可能に設けられる保護カバーと、前記保護カバーに前記ケースの各素子調整穴に対応して形成される第２の素子調整穴と、前記保護カバーを固定する固定手段とを具備し、前記保護カバーをスライドさせて前記ケースの第１の素子調整穴と前記保護カバーの第２の素子調整穴を一致させた場合に前記調整用素子に対する外部操作を可能とし、前記第１の素子調整穴に対して第２の素子調整穴をずらした場合に前記調整用素子に対する外部操作を不可能とすることを特徴とする。
【発明の効果】
【０００９】
本発明によれば、保護カバーを特定方向にスライドし、ケースに設けた第１の素子調整穴と保護カバーに設けた第２の素子調整穴を一致させることで調整用素子を外部から操作可能にできると共に、ケースに設けた第１の素子調整穴に対して保護カバーに設けた第２の素子調整穴をずらすことで、調整用素子を保護カバーにより隠して外部からの操作を不可能にでき、一般の人による悪戯を防止することができる。また、ケースの内側に保護カバーを設けているので、保護カバーや該保護カバーを固定するネジ等の落下を確実に防止することができる。
【発明を実施するための最良の形態】
【００１０】
以下、図面を参照して本発明の一実施形態を説明する。  
図１は本発明の一実施形態に係る悪戯防止機構付き電子機器の構成を示すもので、（ａ）はスイッチやボリウム等の調整用素子を操作可能に設定した場合の正面図、（ｂ）は同下面図、（ｃ）は同要部断面図である。図２は上記電子機器の調整用素子を操作できないように設定した場合の構成を示し、（ａ）は正面図、（ｂ）は同要部断面図である。
【００１１】
図１及び図２において、１１は電子機器、１２は上記電子機器１１のケースである。上記電子機器１１の側部には、各種コネクタ１３が設けられ、基台１０への装着側に放熱フィン１４が設けられる。
【００１２】
また、上記ケース１２内には、プリント基板１５が設けられ、このプリント基板１５に例えばスライドスイッチ１６やボリウム１７等の調整用素子が設けられる。上記ケース１２には、上記スライドスイッチ１６に対応する位置に素子調整穴例えば方形状の第１のスイッチ調整穴１８ａが形成されると共に、ボリウム１７に対応する位置に第１のボリウム調整穴１９ａが形成され、上記スライドスイッチ１６及びボリウム１７を外部から第１のスイッチ調整穴１８ａ、第１のボリウム調整穴１９ａを介して調整できるようになっている。
【００１３】
そして、上記ケース１２の内側面、すなわち第１のスイッチ調整穴１８ａ及び第１のボリウム調整穴１９ａが設けられている面の内側には、例えば方形状の保護カバー２１が予め配設される。この場合、保護カバー２１は、対応するケース１２の面より所定幅小さく形成し、ケース１２内を例えば横方向に移動、すなわちスライドできるようにしている。また、ケース１２には、保護カバー２１の四隅に対応する位置にカバーガイド用の長穴２２ａ〜２２ｄを所定方向例えば左右方向に向けて設ける。
【００１４】
一方、保護カバー２１には、上記ケース１２に設けた長穴２２ａ〜２２ｄのうち、一方の対角線上にある例えば長穴２２ａ、２２ｃに対応する位置にネジタップを施し、このネジタップに長穴２２ａ、２２ｃの外側からカバー固定ネジ２４を螺着する。また、保護カバー２１には、他方の対角線上にある長穴２２ｂ、２２ｄに対応する位置に例えば棒状のカバーつまみ２５を固定して設け、このカバーつまみ２５の上端を長穴２２ｂ、２２ｄから外部に突出させる。なお、上記カバー固定ネジ２４及びカバーつまみ２５は、長穴２２ａ〜２２ｄに対する位置関係を一致させる。
【００１５】
そして、上記保護カバー２１には、図１に示すようにケース１２の一端側例えば左端に移動させた状態で第１のスイッチ調整穴１８ａ及び第１のボリウム調整穴１９ａに一致するように第２のスイッチ調整穴１８ｂ及び第２のボリウム調整穴１９ｂを予め形成する。すなわち、保護カバー２１を左端に移動させた場合には、第１及び第２のスイッチ調整穴１８ａ、１８ｂが一致すると共に、第１及び第２のボリウム調整穴１９ａ、１９ｂが一致し、スライドスイッチ１６及びボリウム１７を外部から調整できるようにしている。
【００１６】
また、上記保護カバー２１を図２に示すように右端に移動させると、第１及び第２のスイッチ調整穴１８ａ、１８ｂが不一致になると共に、第１及び第２のボリウム調整穴１９ａ、１９ｂが不一致となり、スライドスイッチ１６及びボリウム１７が保護カバー２１で隠されるので、外部からの調整が不可能になる。
【００１７】
上記の構成において、電子機器１１の設置やメンテナンス等で機器の調整作業を行なう場合は、保護カバー２１に対するカバー固定ネジ２４をドライバ等の工具で緩め、保護カバー２１をカバーつまみ２５により特定方向、この実施形態では図１に示すように左端に移動させ、保護カバー２１に設けられている第２のスイッチ調整穴１８ｂ及び第２のボリウム調整穴１９ｂを、ケース１２に設けられている第１のスイッチ調整穴１８ａ及び第１のボリウム調整穴１９ａに一致させる。この状態で第１、第２のスイッチ調整穴１８ａ、１８ｂよりスライドスイッチ１６を外部操作すると共に、第１及び第２のボリウム調整穴１９ａ、１９ｂよりボリウム１７を外部操作し、電子機器１１の各機能を調整する。
【００１８】
そして、電子機器１１の設置やメンテナンス等を終了した後、図２に示すように保護カバー２１をカバーつまみ２５により右端に移動させる。これにより、保護カバー２１に設けられている第２のスイッチ調整穴１８ｂ及び第２のボリウム調整穴１９ｂと、ケース１２に設けられている第１のスイッチ調整穴１８ａ及び第１のボリウム調整穴１９ａとの位置関係がずれ、スライドスイッチ１６及びボリウム１７を保護カバー２１にて隠すことができる。この状態で、カバー固定ネジ２４を工具で締め付けて保護カバー２１を固定することにより、カバーつまみ２５を操作しても保護カバー２１が動くことはなく、一般の人がスライドスイッチ１６やボリウム１７等を容易に操作することができなくなる。
【００１９】
上記実施形態によれば、保護カバー２１を特定方向に移動し、ケース１２に設けられている第１のスイッチ調整穴１８ａ及び第１のボリウム調整穴１９ａと、保護カバー２１に設けられている第２のスイッチ調整穴１８ｂ及び第２のボリウム調整穴１９ｂの位置を一致させることでスライドスイッチ１６及びボリウム１７を外部から操作可能にできると共に、上記第１及び第２のスイッチ調整穴１８ａ、１８ｂ、第１及び第２のボリウム調整穴１９ａ、１９ｂの位置関係をずらしてカバー固定ネジ２４で固定することにより、スライドスイッチ１６やボリウム１７を保護カバー２１により容易に隠すことができ、一般の人による悪戯を防止することができる。
【００２０】
また、ケース１２の内側に保護カバー２１を設け、カバー固定ネジ２４を緩めるだけで保護カバー２１を移動できるようにしているので、保護カバー２１やカバー固定ネジ２４の落下等を確実に防止することができる。
【００２１】
なお、上記実施形態では、対角線上に位置する長穴２２ａ、２２ｃにカバー固定ネジ２４を設けた場合について示したが、例えば保護カバー２１の側部をガイドレール等で保持することにより、カバー固定ネジ２４を長穴２２ａ〜２２ｄの任意の位置に設けることができる。
【００２２】
また、上記実施形態では、カバーつまみ２５を設けて保護カバー２１を移動するようにしたが、カバー固定ネジ２４として頭部の長いものを使用することにより、カバーつまみとして代用することができる。
【００２３】
また、本発明は、上記実施形態そのままに限定されるものではなく、実施段階ではその要旨を逸脱しない範囲で構成要素を変形して具体化できるものである。
【図面の簡単な説明】
【００２４】
【図１】本発明の一実施形態に係る悪戯防止機構付き電子機器の構成を示すもので、（ａ）は調整用素子を操作可能に設定した場合の正面図、（ｂ）は同下面図、（ｃ）は同要部断面図である。
【図２】同実施形態において、調整用素子を操作できないように設定した場合の構成を示し、（ａ）は電子機器の正面図、（ｂ）は同要部断面図である。
【図３】共同住宅におけるテレビ信号増幅装置の設置例を示す図である。
【図４】（ａ）は従来の悪戯防止機構付き電子機器の構成例を示す正面図、（ｂ）は同下面図である。
【図５】（ａ）は従来の悪戯防止機構付き電子機器の他の構成例を示す正面図、（ｂ）は同下面図である。
【符号の説明】
【００２５】
１０…基台、１１…電子機器、１２…ケース、１３…コネクタ、１４…放熱フィン、１５…プリント基板、１６…スライドスイッチ、１７…ボリウム、１８ａ…第１のスイッチ調整穴、１８ｂ…第２のスイッチ調整穴、１９ａ…第１のボリウム調整穴、１９ｂ…第２のボリウム調整穴、２１…保護カバー、２２ａ〜２２ｄ…長穴、２４…カバー固定ネジ、２５…カバーつまみ。
【図１】
2005175051.tif 000003
【図２】
2005175051.tif 000004
【図３】
2005175051.tif 000005
【図４】
2005175051.tif 000006
【図５】
2005175051.tif 000007